(57)【要約】      （修正有）【課題】布団を有効に乾燥でき、且つ収納に便利な風力乾燥装置を提供する。【解決手段】本体１１及び伸縮可撓管３１を有する。本体１１の内部に送風機１２が設置され、本体１１は送風機１２に対応する吸気口１３及び送風路１４を有し、且つ送風路１４にはヒーター１５が設置され、本体１１の一部分が本体１１から分離されて送風部材１８が構成され、送風部材１８の内部には管路１８２が形成される。送風部材１８には少なくとも１つの送風口１８３が設けられ、伸縮可撓管３１の一端は送風部材１８の管路１８２に滑動可能に設置され、伸縮可撓管３１の他端は送風路１４に連通される。伸縮可撓管３１が送風部材１８の管路１８２に沿って滑動するという特徴により、延伸される総長さが大幅に増加し、収納する時には、伸縮可撓管３１が送風部材１８の管路に収納され、収納後の体積が有効的に縮減される効果を達成させる。【選択図】図２
0003202002.tif 000002
【実用新案登録請求の範囲】
【請求項１】
内部に送風機が設置される本体であって、前記本体が前記送風機に対応する箇所は吸気口及び送風路を有し、前記送風路にヒーターが設置され、且つ前記本体の一部分が前記本体から分離されて送風部材が構成され、前記送風部材の内部には管路が形成され、且つ前記送風部材には管路に連通される少なくとも１つの送風口が設けられることと、
一端が前記送風部材の管路に滑動可能に設置され、他端は前記送風路に連通され、前記送風機から送風される風力が前記送風路を経由して前記ヒーターにより加熱された後、前記伸縮可撓管に沿って前記送風部材の管路に進入し、送風口から送風される伸縮可撓管とを備えることを特徴とする風力乾燥装置。
【請求項２】
前記送風部材の管路と前記伸縮可撓管との間には延長管がさらに設置され、前記延長管は前記送風部材の管路に同軸で穿設され、且つ前記管路中で軸方向に滑動し、前記伸縮可撓管の一端には滑動端が画定され、前記伸縮可撓管は滑動端により前記延長管に滑動可能に設置されることを特徴とする、請求項１に記載の風力乾燥装置。
【請求項３】
前記本体はお互いに対称する円筒状を呈する第一ケース及び第二ケースで構成され、前記送風機は前記第一ケースの下半部の内部に設置されると共に風力を発生させ、且つ前記第一ケースは前記送風機に対する吸気側に前記吸気口が形成され、前記送風路は前記送風機の送風側から延伸されて前記第二ケースの下半部の内部に連通され、前記第二ケースの上半部には前記第二ケースの下半部から分離される送風部材が構成され、且つ前記第一ケースと前記第二ケースとの間には連結部を有し、前記連結部の外周面には前記送風機及び前記ヒーターに電気的に接続される制御パネルが設置され、前記送風部材は前記連結部に向ける一側に連結用レールが設置され、前記連結部は前記送風部材に向ける一側に前記連結用レールに対応する凹部が設けられ、前記送風部材が連結用レールにより前記連結部の凹部に対応して連結され、且つ前記送風部材の連結用レールの側辺には管路に連通される複数の排気口が開設され、また、前記送風部材の送風口には前記送風口に対して回転する風向調整部材が装設され、且つ前記風向調整部材は同じ角度で斜設される複数のブレイドで構成されることを特徴とする、請求項１に記載の風力乾燥装置。
【考案の詳細な説明】
【技術分野】
【０００１】
本考案は、布団を有効に乾燥でき、且つ収納に便利な風力乾燥装置に関する。
【背景技術】
【０００２】
従来の布団乾燥機６は、前端には熱気の出口端６１を有し、使用時には袋体６２を前記出口端６１に連結させて袋体６２を敷き布団の上に敷き、つづいて掛け布団７を前記袋体６２の上に掛ける（図５参照）。前述の準備が完了した後、布団乾燥機を起動させて熱気を前記袋体６２に注入させ、これにより熱気が布団全体に伝わって掛け布団７を加熱乾燥させる。
【考案の概要】
【考案が解決しようとする課題】
【０００３】
しかしながら、前述の装置は使用前の準備工程が非常に煩雑であり、使用上不便であった。袋体６２を連結せずに、布団乾燥機６の出口端６１を掛け布団７に直接挿入して使用すれば、袋体６２を連結させて敷布団に敷く煩雑な工程を省略できるが、但し、従来の布団乾燥機の出口端６１は短過ぎるため、掛け布団７の奥まで進入させることができず、乾燥効果が理想的とは言えなかった。さらに、出口端６１の長さを増加させると、掛け布団７の奥まで進入させて好ましい乾燥効果を達成させることはできるが、但し、布団乾燥機の全体的な体積が大幅に増加してしまい、空間を占拠して収納が難しくなる問題が発生した。
【０００４】
そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものである。上記課題解決のため、本考案は、風力乾燥装置を提供することを主目的とする。
【課題を解決するための手段】
【０００６】
上述した課題を解決し、目的を達成するために、本考案に係る風力乾燥装置は、内部に送風機が設置される本体であって、前記本体が前記送風機に対応する箇所は吸気口及び送風路を有し、前記送風路にヒーターが設置され、且つ前記本体の一部分が前記本体から分離されて送風部材が構成され、前記送風部材の内部には管路が形成され、且つ前記送風部材には管路に連通される少なくとも１つの送風口が設けられることと、
一端が前記送風部材の管路に滑動可能に設置され、他端は前記送風路に連通され、前記送風機から送風される風力が前記送風路を経由して前記ヒーターにより加熱された後、前記伸縮可撓管に沿って前記送風部材の管路に進入し、送風口から送風される伸縮可撓管とを備えることを特徴とする。
【０００７】
好ましくは、前記本体はお互いに対称する円筒状を呈する第一ケース及び第二ケースで構成され、前記送風機は前記第一ケースの下半部の内部に設置されると共に風力を発生させ、且つ前記第一ケースは前記送風機に対する吸気側に前記吸気口が形成され、前記送風路は前記送風機の送風側から延伸されて前記第二ケースの下半部の内部に連通され、前記第二ケースの上半部には前記第二ケースの下半部から分離される送風部材が構成される。
【０００８】
好ましくは、前記送風部材の管路と前記伸縮可撓管との間には延長管がさらに設置され、前記延長管は前記送風部材の管路に同軸で穿設され、且つ前記管路中で軸方向に滑動し、前記伸縮可撓管の一端には滑動端が画定され、前記伸縮可撓管は滑動端により前記延長管に滑動可能に設置される。
【０００９】
さらに、前記送風部材の送風口には前記送風口に対して回転する風向調整部材が装設され、且つ前記風向調整部材は同じ角度で斜設される複数のブレイドで構成される。
【考案の効果】
【００１０】
本考案によれば、使用が便利であり、且つ収納する時に全体的な体積を有効的に縮減させる効果を有する。
【図面の簡単な説明】
【００１１】
【図１】本考案に係る風力乾燥装置を説明する斜視図である。
【図２】本考案に係る風力乾燥装置の構成を説明する概念図である。
【図３】本考案の送風部材を抽出する際の構成を説明する概念図である。
【図４】本考案に係る風力乾燥装置を説明する使用状態の概念図である。
【図５】従来の布団乾燥機を示す使用状態の概念図である。
【考案を実施するための形態】
【００１２】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００１３】
（実施形態１）
本実用新案に係る風力乾燥装置は、主に本体１１と、延長管２１と、伸縮可撓管３１とで構成される。前記本体１１は、中空ケース状を呈すると共に内部には送風機１２が設置され、前記本体１１が前記送風機１２に対応する箇所は外部に連通される吸気口１３及び前記本体１１内に位置される送風路１４を有し、且つ前記送風路１４にはヒーター１５が設置される（図１乃至図４参照）。本実施形態において、前記本体１１はお互いに対称する円筒状を呈する第一ケース１１１及び第二ケース１１２で構成され、且つ前記第一ケース１１１と前記第二ケース１１２との間には連結部１１３を有し、前記連結部１１３の外周面には前記送風機１２及び前記ヒーター１５に電気的に接続される制御パネル１６が設置され、前記制御パネル１６を操作することで前記送風機１２及び前記ヒーター１５の起動の制御を行う。前記送風機１２は前記第一ケース１１１の下半部の内部に設置されると共に風力を発生させるために使用され、且つ前記第一ケース１１１は前記送風機１２に対する吸気側に前記吸気口１３が形成され、前記送風路１４は前記送風機１２の送風側から延伸されて前記第二ケース１１２の下半部の内部に連通される。前記第二ケース１１２の送風路１４には前記ヒーター１５が設置され、且つ前記第一ケース１１１の下半部は前記送風機１２が設置される下方の位置に対する箇所に電源線収納空間１７がさらに形成される。
【００１４】
前記第二ケース１１２の上半部は前記第二ケース１１２の下半部から分離されるユニットであり、且つ前記第二ケース１１２の上半部は送風部材１８と定義され、前記送風部材１８は前記連結部１１３に向ける一側に連結用レール１８１が設置され、前記連結部１１３は前記送風部材１８に向ける一側に前記連結用レール１８１に対応する凹部１１４が設けられ、前記送風部材１８は連結用レール１８１により前記連結部１１３の凹部１１４に対応して連結され、お互いに対称する円筒状を呈する本体の形状が構成される。前記送風部材１８は二端が通気性のある中空管状を呈し、内部には軸方向に沿って延伸される管路１８２が形成され、前記送風部材１８は上に向ける端口に管路に連通される送風口１８３が形成され、且つ前記送風部材１８は下に向ける端口に管路１８２に連通されると共に口径が前記管路より小さい接合口１８４が構成される。前記送風部材１８の連結用レール１８１の側辺には管路１８２に連通される複数の排気口１８５が開設され、前記送風部材１８の送風口１８３には前記送風口１８３に対して回転する風向調整部材１９が装設され、前記風向調整部材１９は同じ角度で斜設される複数のブレイド１９１で構成される。前記風向調整部材１９が回転されることで前記送風部材１８の送風口１８３の送風方向が調整される。
【００１５】
前記延長管２１は二端が通気性があり且つ所定の長さを有する中空管状を呈し、前記延長管２１は前記送風部材１８の管路１８２に同軸で穿設され、前記管路１８２中で軸方向に滑動する。また、前記延長管２１は前記送風口１８３に向ける一端の外周に前記接合口１８４に相互に当接されるストッパー２２が形成され、前記延長管２１は他端の内縁箇所に止縁２３が形成される。
【００１６】
前記伸縮可撓管３１は伸縮可能な軟質管で構成され、前記伸縮可撓管３１の一端には滑動端３２が画定され、前記伸縮可撓管３１は滑動端３２が前記延長管２１に滑動可能に設置されると共に前記延長管２１の止縁２３に相互に当接され、前記伸縮可撓管３１の他端には連結端３３が画定され、且つ前記伸縮可撓管３１の連結端３３は前記送風路１４の出口端１４１に連結されるために用いられ、前記送風機１２から送風される風力が前記送風路１４を経由して前記ヒーター１５により加熱された後、前記伸縮可撓管３１に沿って前記延長管２１及び前記送風部材１８の管路１８２に順に進入し、送風口１８３から送風される。
【００１７】
上述の構造で構成される本実用新案は実際に布団乾燥に使用する場合、図３及び図４に示すように、使用者が前記送風部材１８を前記本体１１の第二ケース１１２の下半部から分離して引き出すと、前記伸縮可撓管３１が連結端３３により前記送風路１４の出口端１４１に固設される。これにより、前記送風部材１８が前記本体１１から分離されて引き出され、前記延長管２１が前記送風部材１８の管路１８２に沿って滑動し、前記伸縮可撓管３１が前記延長管２１の内縁沿って滑動する特徴により、送風部材１８が延伸される総長さが大幅に増加する。よって、使用者が送風部材１８を布団（図示せず）の奥に直接進入させ、且つ前記制御パネル１６を操作して送風機１２及びヒーター１５を作動させて温風を送風させ、一定時間内に布団の乾燥効果を達成させ、布団乾燥の工程がより簡単で便利になる。
【００１８】
さらに、使用者が布団乾燥の工程を完了させた後、前記送風部材１８が前記本体１１に装設されると、同様に前記延長管２１が前記送風部材１８の管路１８２に沿って滑動し、前記伸縮可撓管３１が前記延長管２１の内縁に沿って滑動する特徴により、本実用新案に係る送風部材１８が前記本体１１に装設されると、図２に示すように、前記延長管２１及び前記伸縮可撓管３１が同時に前記送風部材１８の管路１８２に収納され、これにより、収納後の材積を有効的に縮減させ、収納後の外観の全体性を確保させる。
【００１９】
従って、本明細書に開示された実施形態は、本考案を限定するものではなく、説明するためのものであり、このような実施形態によって本考案の思想と範囲が限定されるものではない。本考案の範囲は特許請求の範囲により解釈すべきであり、それと同等の範囲内にある全ての技術は、本考案の権利範囲に含まれるものと解釈すべきである。
【符号の説明】
【００２０】
（従来の技術）
布団乾燥機６
出口端６１
袋体６２
掛け布団７
（本考案）
本体１１
第一ケース１１１
第二ケース１１２
連結部１１３
凹部１１４
送風機１２
吸気口１３
送風路１４
出口端１４１
ヒーター１５
制御パネル１６
電源線収納空間１７
送風部材１８
連結用レール１８１
管路１８２
送風口１８３
接合口１８４
排気口１８５
風向調整部材１９
ブレイド１９１
延長管２１
ストッパー２２
止縁２３
伸縮可撓管３１
滑動端３２
連結端３３
【図１】
0003202002.tif 000003
【図２】
0003202002.tif 000004
【図３】
0003202002.tif 000005
【図４】
0003202002.tif 000006
【図５】
0003202002.tif 000007